(57)【要約】【課題】光学ズームの駆動速度を上げつつ、トラッキングボケを見せない撮像装置を提供すること。【解決手段】ズームレンズを駆動するズーム駆動部と、ズームレンズの駆動に伴って、被写体像のフォーカス状態を調節するようフォーカスレンズを駆動するフォーカス駆動部と、光学系を介して形成された被写体像を撮像して画像データを生成する撮像部と、撮像部が生成する画像データを出力する表示部と、ズーム倍率を指定する操作部と、操作部により指定されたズーム倍率に基づいて、操作タイミングに対応する画像データをデジタルズームしたデジタルズーム画像を表示部に出力するよう制御するデジタルズーム制御部と、デジタルズームに連動して、ズーム倍率に基づいて光学ズームするようズーム駆動部を制御する光学ズーム制御部と、光学ズームが完了した後、デジタルズーム画像の表示部への出力を解除するようデジタルズーム制御部を制御する表示制御部とを備える。【選択図】図１
2011193329.tif 000002
【特許請求の範囲】
【請求項１】
ズームレンズ、フォーカスレンズを含む光学系と、
前記ズームレンズを駆動するズーム駆動部と、
前記ズームレンズの駆動に伴って、前記光学系を介して形成された被写体像のフォーカス状態を調節するよう前記フォーカスレンズを駆動するフォーカス駆動部と、
前記光学系を介して形成された被写体像を撮像して画像データを生成する撮像部と、
前記撮像部が生成する画像データを出力する表示部と、
使用者による操作を受け付けて、ズーム倍率を指定する操作部と、
前記操作部により指定されたズーム倍率に基づいて、操作タイミングに対応する画像データをデジタルズームしたデジタルズーム画像を前記表示部に出力するよう制御するデジタルズーム制御部と、
前記デジタルズームに連動して、前記ズーム倍率に基づいて光学ズームするよう前記ズーム駆動部を制御する光学ズーム制御部と、
前記光学ズームが完了した後、デジタルズーム画像の前記表示部への出力を解除するよう前記デジタルズーム制御部を制御する表示制御部と、
を備えた撮像装置。
【請求項２】
パンニング判定部を更に備え、
前記表示制御部は、パンニングを判定したとき、デジタルズーム画像の前記表示部への出力を解除する、
請求項１に記載の撮像装置。
【請求項３】
被写体の動きを判定する動き判定部を更に備え、
前記表示制御部は、被写体の動きを判定したとき、デジタルズーム画像の前記表示部への出力を解除する、
請求項１に記載の撮像装置。
【発明の詳細な説明】
【技術分野】
【０００１】
本発明は撮像装置に関し、ズーム調節可能な撮像装置に関する。
【背景技術】
【０００２】
特許文献１に開示のカメラのように、使用者が撮影フレームを所望の画角に調整するために、光学ズーム機能を有するカメラが普及している。
【先行技術文献】
【特許文献】
【０００３】
【特許文献１】特開2004-064674号公報
【発明の概要】
【発明が解決しようとする課題】
【０００４】
使用者が撮影フレームを所望の画角にすばやく調整できるようにするために、光学ズームの駆動速度を上げることが考えられる。しかしながら、光学ズーム中は、表示画面に出力中の画像がボケないようにフォーカス位置をズーム位置に対して追従させているため、光学ズームの駆動速度を上げすぎると、フォーカス位置が追従できず表示画面にボケた画像が出力される可能性があった。
【０００５】
本発明は上記課題を鑑みてなされたものであり、光学ズームの駆動速度を上げつつ、トラッキングボケを見せない撮像装置を提供することを目的とする。
【課題を解決するための手段】
【０００６】
上記課題を解決するために本発明の撮像装置は、ズームレンズ、フォーカスレンズを含む光学系と、ズームレンズを駆動するズーム駆動部と、ズームレンズの駆動に伴って、光学系を介して形成された被写体像のフォーカス状態を調節するようフォーカスレンズを駆動するフォーカス駆動部と、光学系を介して形成された被写体像を撮像して画像データを生成する撮像部と、撮像部が生成する画像データを出力する表示部と、使用者による操作を受け付けて、ズーム倍率を指定する操作部と、操作部により指定されたズーム倍率に基づいて、操作タイミングに対応する画像データをデジタルズームしたデジタルズーム画像を表示部に出力するよう制御するデジタルズーム制御部と、デジタルズームに連動して、ズーム倍率に基づいて光学ズームするようズーム駆動部を制御する光学ズーム制御部と、光学ズームが完了した後、デジタルズーム画像の表示部への出力を解除するようデジタルズーム制御部を制御する表示制御部と、を備える。
【発明の効果】
【０００７】
本発明によれば、光学ズームの駆動速度を上げつつ、トラッキングボケを見せない撮像装置を提供することができる。
【図面の簡単な説明】
【０００８】
【図１】デジタルカメラ１００の電気的構成図
【図２】デジタルカメラ１００の背面構成図
【図３】高速ズームモードのフローチャート
【図４】パンニング・被写体動きによる割り込み処理のフローチャート
【図５】ズーム画像表示を説明するためのイメージ図
【発明を実施するための形態】
【０００９】
〔実施の形態１〕
実施の形態１に係るデジタルカメラ１００は、ズームトラッキングのフォーカス追従性能を考慮することなく、通常よりも高速に光学ズームを動作させることができる。
以下、デジタルカメラ１００の構成および動作を説明する。
【００１０】
〔１．構成〕
以下図を用いてデジタルカメラ１００の構成を説明する。
【００１１】
〔１−１．デジタルカメラ１００の構成〕
図１は、デジタルカメラ１００の電気的構成図である。
デジタルカメラ１００は、光学系１１０を介して形成された被写体像をＣＣＤイメージセンサ１２０で撮像する。
ＣＣＤイメージセンサ１２０は撮像した被写体像に基づく画像データを生成する。
撮像により生成された画像データは、ＡＦＥ（アナログ・フロント・エンド）１２１や画像処理部１２２において各種処理が施される。
生成された画像データはフラッシュメモリ１４２やメモリカード１４０に記録される。フラッシュメモリ１４２やメモリカード１４０に記録された画像データは、使用者による操作部１５０の操作を受け付けて液晶ディスプレイ１２３上に表示される。
【００１２】
図２は、デジタルカメラ１００の背面構成図である。
デジタルカメラ１００は、上面にレリーズ釦１７０、ズームレバー１７１、電源釦１７２などの操作釦を備える。また、デジタルカメラ１００は、背面に選択釦１７３、決定釦１７４等を備える。
【００１３】
光学系１１０は、フォーカスレンズ１１１やズームレンズ１１２等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１４】
フォーカスレンズ１１１は被写体のフォーカス状態の調節に用いられる。ズームレンズ１１２は被写体の画角の調節に用いられる。
【００１５】
フォーカスモータ１１５は、コントローラ１３０から通知された制御信号に従ってフォーカスレンズ１１１を光軸に沿って進退駆動させる駆動手段である。
ズームモータ１１６は、コントローラ１３０から通知された制御信号に従ってズームレンズ１１２を光軸に沿って進退駆動させる駆動手段である。
これらの駆動手段は、ＤＣモータやステッピングモータ等により実現できる。
【００１６】
ＣＣＤイメージセンサ１２０は、光学系１１０を通して形成された被写体像を撮像して画像データを生成する。ＣＣＤイメージセンサ１２０の受光面には多数のフォトダイオードが２次元的に配列されている。また、各フォトダイオードに対応してＲ、Ｇ、Ｂの原色カラーフィルタが所定の配列構造で配置されている。撮像対象となる被写体からの光は、光学系１１０を通過した後に、ＣＣＤイメージセンサ１２０の受光面に結像される。結像された被写体像は、各フォトダイオードへ入射した光量に応じてＲ、Ｇ、Ｂに仕分けられたそれぞれ色情報に変換される。その結果、被写体像を示す全体の画像データが生成される。ＣＣＤイメージセンサ１２０は、所定のフレームレート（例えば、３０フレーム／秒）で新しいフレームの画像データを生成する。また、ＣＣＤイメージセンサ１２０は、プレビュー表示においては電子シャッタ動作により露出光量を調節する。ＣＣＤイメージセンサ１２０の画像データ生成タイミングおよび電子シャッタ動作は、コントローラ１５０によって制御される。この画像データをスルー画像として逐一表示部１７０にプレビュー表示することにより、ユーザはリアルタイムに被写体の状況を表示部１７０で確認できる。
【００１７】
ＡＦＥ１２１は、ＣＣＤイメージセンサ１２０が生成した画像データに対して、相関二重サンプリングによる雑音抑圧、アナログゲインコントローラによるＡＤコンバータ１３３の入力レンジ幅への増幅、ＡＤコンバータによるＡＤ変換を施す。その後、ＡＦＥ１２１は、画像データを画像処理部１２２に出力する。
【００１８】
画像処理部１２２は、ＡＦＥ１２１から出力された画像データに対して各種の処理を施す。各種処理としては、スミア補正、ホワイトバランス補正、ガンマ補正、ＹＣ変換処理、電子ズーム処理、圧縮処理、伸張処理等などが挙げられるが、これらに限定されるものではない。画像処理部１２２は、動き検出処理を実行することが出来る。動き検出処理とは、毎フレーム取得される画像データのそれぞれにおける被写体の動きを、色情報又は輝度情報の位置変化から検出する処理である。なお、本発明の動き検出においては、上述した方式に限定されず、既知のいずれの動き検出技術であっても適用可能である。
【００１９】
液晶ディスプレイ１２３は、デジタルカメラ１００の背面に備わる。液晶ディスプレイ１２３は、画像処理部１２２にて処理された画像データに基づく画像を表示する。液晶ディスプレイ１２３が表示する画像には、スルー画像や記録画像がある。液晶ディスプレイ１２３は、ＣＣＤイメージセンサ１２０により一定時間毎に生成される画像をスルー画像として略リアルタイムで表示する。ユーザは、液晶ディスプレイ１２３に表示されるスルー画像を参照することにより、被写体の構図を確認しながら撮影できる。記録画像は、メモリカード１４０やフラッシュメモリ１４２に記録された画像である。液晶ディスプレイ１２３は、ユーザの操作に応じて、すでに記録した画像データに基づく画像を表示する。液晶ディスプレイ１２３はこの他、デジタルカメラ１００の各種設定条件等を表示可能である。
【００２０】
コントローラ１３０は、デジタルカメラ１００全体の動作を統括制御する。コントローラ１３０は、プログラム等の情報を格納するＲＯＭや、プログラム等の情報を処理するＣＰＵなどにより構成される。ＲＯＭは、オートフォーカス制御（ＡＦ制御）や自動露出制御（ＡＥ制御）に関するプログラムの他、デジタルカメラ１００全体の動作を統括制御するためのプログラムを格納している。ＲＯＭはコントローラ１３０の内部構成である必要はなく、コントローラ１３０の外部に備わったものでもよい。
【００２１】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。また、フラッシュメモリ１４２は、画像データ等を記録するための内部メモリとして機能する記憶手段である。
【００２２】
カードスロット１４１は、メモリカード１４０を着脱可能な接続手段である。カードスロット１４１は、メモリカード１４０を電気的及び機械的に接続可能である。また、カードスロット１４１は、メモリカード１２０を制御する機能を備えてもよい。
【００２３】
メモリカード１４０は、内部にフラッシュメモリ等の記憶手段を備えた外部メモリである。メモリカード１４０は、画像処理部１２２で処理される画像データなどのデータを記録可能である。
【００２４】
ジャイロセンサー１６０は、デジタルカメラ１００本体の動きを検出する縦方向と横方向のセンサーにより構成される。ジャイロセンサー１６０は、縦方向および横方向でセンシングした情報に基づいて、パン、チルトといったカメラ本体の動きを検出する。そして、ジャイロセンサー１６０は、検出したカメラ本体の動きの情報をコントローラ１３０に通知する。
【００２５】
操作部１５０は、デジタルカメラ１００の外装に備わっている操作釦や操作レバーの総称であり、使用者による操作を受け付ける。例えば図２に示したレリーズ釦１７０や、ズームレバー１７１、電源釦１７２、選択釦１７３、決定釦１７４などがこれにあたる。操作部１５０は使用者による操作を受け付けると、コントローラ１３０に種々の動作指示信号を通知する。
【００２６】
レリーズ釦１７０は、二段押下式の押下釦である。レリーズ釦１７０が使用者により半押し操作されると、コントローラ１３０はＡＦ動作やＡＥ動作などを実行する。また、レリーズ釦１７０が使用者により全押し操作されると、コントローラ１３０は、押下操作のタイミングに撮像された画像データを記録画像としてメモリカード１４０等に記録する。
【００２７】
ズームレバー１７１は画角調節についてのズームレバー１７１は、使用者により操作されるとコントローラ１３０にズームレンズ１１２を駆動するための動作指示信号を通知する。すわなち、ズームレバー１７１が広角端に操作されると、コントローラ１３０は、被写体を広角で捉えられるようにズームレンズ１１２を駆動する。同様に、ズームレバー１７１が望遠端に操作されると、コントローラ１３０は、被写体を望遠で捉えられるようにズームレンズ１１２を駆動する。
【００２８】
電源釦１７２は、デジタルカメラ１００を構成する各部への電力供給をＯＮ/ＯＦＦするための押下式釦である。電源ＯＦＦ時に電源釦１７２が使用者により押下されると、コントローラ１３０はデジタルカメラ１００を構成する各部に電力を供給し、起動させる。また、電源ＯＮ時に電源釦１７２が使用者により押下されると、コントローラ１３０は各部への電力供給を停止する。
【００２９】
選択釦１７３は、上下左右方向に設けられた押下式釦である。使用者は、選択釦１７３のいずれかの方向を押下することにより、液晶ディスプレイ１２３に表示される各種条件項目を選択することができる。
【００３０】
決定釦１７４は、押下式釦である。デジタルカメラ１００が撮影モードあるいは再生モードにあるときに、決定釦１７４が使用者により押下されると、コントローラ１３０は液晶ディスプレイ１２３にメニュー画面を表示する。メニュー画面は、撮影/再生のための各種条件を設定するための画面である。決定釦１７４が各種条件の設定項目が選択されているときに押下されると、コントローラ１３０は、選択された項目の設定を確定する。本実施の形態１のデジタルカメラ１００は、撮影モードとして、通常撮影モードと高速ズーム撮影モードとを有している。通常撮影モードは、使用者がスルー画像を見ながら画角を調整できる一般的なモードである。高速ズーム撮影モードの詳細は後述する。使用者は、デジタルカメラ１００が撮影モードにあるときに、液晶ディスプレイ１２３に表示されるメニュー画面の中から、通常撮影モードに設定するか、高速ズーム撮影モードに設定するかを選択することができる。    
【００３１】
〔１−２．本発明との対応関係〕
フォーカスレンズ１１１は、本発明のフォーカスレンズの一例である。ズームレンズ１１２は、本発明のズームレンズの一例である。ズームモータ１１６は、本発明のズーム駆動部の一例である。フォーカスモータ１１５は、本発明のフォーカス駆動部の一例である。ＣＣＤイメージセンサ１２０は、本発明の撮像部の一例である。液晶ディスプレイ１２３は、本発明の表示部の一例である。ズームレバー１７１は、本発明の操作部の一例である。コントローラ１３０は、本発明のデジタルズーム制御部の一例である。コントローラ１３０は、本発明の光学ズーム制御部の一例である。コントローラ１３０は、表示制御部の一例である。コントローラ１３０は、本発明のパンニング判定部の一例である。コントローラ１３０は、本発明の動き判定部の一例である。デジタルカメラ１００は、本発明の撮像装置の一例である。
【００３２】
〔２．動作〕
デジタルカメラ１００は、デジタルズーム画像を表示画面に出力している間に、高速で光学ズーム駆動制御を実行する。光学ズーム駆動が終了したら、デジタルカメラ１００は、デジタルズーム画像の表示画面への出力を解除する。以下図３〜図５を用いてデジタルカメラ１００の高速ズーム撮影モードの動作を説明する。図３は、実施の形態１に係るデジタルカメラ１００の高速ズーム撮影モードのフローチャートである。まず、図３を用いて高速ズーム撮影モードの動作概要を説明する。
【００３３】
使用者により電源釦１７２が押下されると、デジタルカメラ１００は電源ＯＮ状態となる。このとき、コントローラ１３０は、デジタルカメラ１００を構成する各部に電力を供給する。また、コントローラ１３０は、光学系１１０やＣＣＤイメージセンサ１２０の初期化動作を完了させ、液晶ディスプレイ１２３にスルー画像が表示された状態にする。図５（ａ）に液晶ディスプレイ１２３に表示されたスルー画像のイメージ図を示す。図５（ａ）において、液晶ディスプレイ１２３には、被写体およびズームバー、ズーム倍率が表示されている。図５（ａ）においては、ズーム倍率が１倍である例を示している。液晶ディスプレイ１２３へのスルー画像表示が開始されると、使用者は、撮影フレームを確認しながら、ズームレバー１７１を操作して画角を調節することができる。
【００３４】
使用者がズームレバー１７１を操作すると、ズーム操作された旨がコントローラ１３０に通知され、コントローラ１３０は、ズーム倍率変更を検出する。コントローラ１３０は、変更されたズーム倍率に基づいて、デジタルズーム処理を開始する（Ｓ３００）。ズーム処理が開始されると、コントローラ１３０は、バッファメモリ１２４へ、倍率変更前のスルー画像を保存する。画像処理部１２２にて、スルー画像をズーム倍率に応じてデジタルズーム処理する。デジタルズームされた画像は、液晶ディスプレイ１２３に表示される（Ｓ３０１）。図５（ｂ）に、液晶ディスプレイ１２３に表示されたデジタルズーム画像のイメージ図を示す。図５（ｂ）においては、ズーム倍率が５倍である例を示している。以上のように、ステップＳ３００からステップＳ３０１においては、液晶ディスプレイ１２３は、使用者により操作指定されたズーム倍率に基づいてデジタルズームしたスルー画像を表示する。
【００３５】
使用者は、撮影フレームが所望の画角に調整されたら、ズームレバー１７１の操作を終了する。このとき、コントローラ１３０は、使用者が画角を決定し、ズーム操作を完了したか判断する（Ｓ３０２）。ズーム操作が完了していない、つまり使用者がズームレバー１７１を操作中であるとコントローラ１３０が判断したとき（Ｓ３０２におけるＮＯ）、ステップＳ３００からステップＳ３０２の動作を繰り返す。
【００３６】
一方、ズーム操作が完了した、つまり使用者がズームレバー１７１の操作を終了したとコントローラ１３０が判断したとき（Ｓ３０２におけるＹｅｓ）、コントローラ１３０は、バッファメモリ１２４に格納された最新の画像データを、指定のズーム倍率に基づいてデジタルズームした画像（静止画像）を液晶ディスプレイ１２３に表示する。そして、決定されたズーム倍率に基づき、コントローラ１３０はズームモータ１１６を駆動し、ズームレンズ１１２を、所望の位置へ移動させる（Ｓ３０３）。このとき、コントローラ１３０は、ズームレンズ１１２の移動に合わせてフォーカスレンズ１１１を追従させるトラッキング制御を行う（Ｓ３０３）。このトラッキング制御は、光学ズーム中に表示画面がボケないようにするために行う。しかし、高速ズーム撮影モードにおいては、使用者が所望する画角にすばやく調整できることを優先させるために、通常撮影モード時に比べ高速でズームレンズ１１２を駆動させる。そのため、高速で移動するズームレンズ１１２に対して、フォーカスレンズ１１の移動が追従できず、表示画面にボケが発生する可能性がある。しかし、ステップＳ３０３においては、液晶ディスプレイ１２３は、デジタルズームした静止画像を表示しているため、使用者はトラッキング制御に起因するボケを認識することはない。これにより、デジタルカメラ１００は、使用者所望の画角にすばやく調節する高速ズーム駆動と、表示画面に出力されるボケの発生の問題の回避を両立することが可能となる。
【００３７】
続いて、コントローラ１３０は、ズームレンズ１１２と、ズームレンズ１１２に追従するフォーカスレンズ１１１が所望の位置へ移動完了したかを判断する（Ｓ３０４）。つまり、コントローラ１３０は、光学ズーム駆動が終了したか否かを判断する。ズームレンズ１１２およびフォーカスレンズ１１１が所望の位置へ移動完了していないと判断するとき（Ｓ３０４におけるＮｏ）、コントローラ１３０は、光学ズーム駆動を継続する。コントローラ１３０は、フォーカスレンズ１１１およびズームレンズ１１２が所望の位置に移動完了するまで、ステップＳ３０３からステップＳ３０４の動作を繰り返す。フォーカスレンズ１１１は、ズームレンズ１１２の移動に追従して駆動しているため、移動完了するのがズームレンズ１１２の移動完了よりも少し遅れる。従って、ズームレンズ１１２の移動完了した時点でデジタルズーム画像の表示を解除してスルー画像表示を開始したとすると、フォーカスレンズ１１１の移動がまだ完了しておらず使用者にボケを視認される可能性がある。そのため、コントローラ１３０は、ズームレンズ１１２の移動に追従するフォーカスレンズ１１１の移動が完了してから、デジタルズーム画像の表示を解除して、スルー画像表示を開始する（Ｓ３０５）。図５（ｃ）に、液晶ディスプレイ１２３に表示されたスルー画像のイメージ図を示す。図５（ｃ）においては、ズーム倍率が５倍である例を示している。
【００３８】
コントローラ１３０は、ステップＳ３０３〜Ｓ３０４の処理を行う間、パンニング・被写体動きによる割り込み制御を行う。図４にパンニング・被写体動きによる割り込み制御のフローチャートを示す。
【００３９】
コントローラ１３０は、Ｓ３０３〜Ｓ３０４の処理を行う間に、カメラ本体のパンニングおよび、被写体の動きを監視している（Ｓ４００）。コントローラ１３０は、パンニングと被写体の動きを検出したときは（Ｓ４００におけるＹｅｓ）、光学ズーム駆動の途中であっても、使用者による画角調整を優先するために、デジタルズーム画像表示を解除して、スルー画像表示を開始させる（Ｓ４０１）。このとき、コントローラ１３０は、駆動途中の光学ズームを継続するが、使用者にトラッキングボケが視認されないようにするために、ズーム速度を高速ズーム撮影モード時に比べ遅く設定する。
【００４０】
コントローラ１３０は、ステップＳ３０３〜Ｓ３０４の処理を行う間に、パンニングおよび被写体の動きを検出しないとき（Ｓ４００におけるＮｏ）は、図４に示す割り込み制御を実行せず、ステップＳ３０３〜Ｓ３０４の処理を継続する。
【００４１】
以上説明したように、デジタルカメラ１００は、デジタルズーム画像を表示画面に出力している間に、高速で光学ズーム駆動制御を実行する。光学ズーム駆動が終了したら、デジタルカメラ１００は、デジタルズーム画像の表示画面への出力を解除する。これにより、デジタルカメラ１００は、使用者所望の画角にすばやく調節する高速ズーム駆動と、表示画面に出力されるボケの発生の問題の回避を両立することが可能となる。また、デジタルカメラ１００は、高速ズーム撮影モードにおいて、光学ズーム駆動中であっても、パンニングや被写体の動きを検出したときは、デジタルズーム画像表示を解除して、スルー画像表示を開始する。これにより、デジタルカメラ１００は、パンニングや被写体の動きを検出したときは、使用者による画角調整を優先することができる。
〔２．他の実施の形態〕
本発明は、上記実施の形態１に限定されず、種々の実施形態が考えられる。以下、本発明の他の実施の形態についてまとめて記載する。
【００４２】
上記実施の形態１において、ＣＣＤイメージセンサ１２０を、撮像部の一例として説明したが、本発明はこれに限定されない。すなわち、ＣＭＯＳイメージセンサや、ＮＭＯＳイメージセンサなど他の撮像素子であっても本発明に適用可能である。
【００４３】
上記実施の形態１において、液晶ディスプレイ１２３を、表示部の一例として説明したが、本発明はこれに限定されない。すなわち、有機ＥＬディスプレイなど他の表示デバイスであっても本発明に適用可能である。
【００４４】
上記実施の形態１において、ズームレバー１７１を、広角端と望遠端を有する中央位置自己復帰式のレバーであるとしたが、本発明はこれに限定されない。すなわち、広角端と望遠端を有すれば、スイッチタイプの操作部であってもよいし、液晶ディスプレイ１２３上に配置されたタッチパネル入力によるものであっても本発明に適用可能である。
【００４５】
以上のように、本発明によれば、高速にズームすることが可能なデジタルカメラを提供することができる。
【産業上の利用可能性】
【００４６】
本発明はデジタルカメラ１００への実施に限定されない。すなわち、ムービーカメラやカメラ付き携帯電話など、ズーム調節可能な撮像装置に本発明は適用可能である。
【符号の説明】
【００４７】
１００    デジタルカメラ
１１１    フォーカスレンズ
１１２    ズームレンズ
１２０    ＣＣＤイメージセンサ
１２１    ＡＦＥ（アナログ・フロント・エンド）
１２２    画像処理部
１２３    液晶ディスプレイ
１２４    バッファメモリ
１３０    コントローラ
１４０    メモリカード
１４１    カードスロット
１４２    フラッシュメモリ
１５０    操作部
１６０    ジャイロセンサー
１７０    レリーズ釦
１７１    ズームレバー
１７２    電源釦
１７３    選択釦
１７４    決定釦
【図１】
2011193329.tif 000003
【図２】
2011193329.tif 000004
【図３】
2011193329.tif 000005
【図４】
2011193329.tif 000006
【図５】
2011193329.tif 000007